(57)【要約】【課題】飽和減圧を利用して１回の減圧スケジュールから得ることのできる作業員の作業時間を多く確保して、作業の効率性を著しく向上させたニューマチックケーソン工法に用いられる高気圧室内作業方法を提供する。長時間、長期間の高気圧環境下での滞在を考慮して、工事条件、作業人員の変化や、従来の工法にも対応することのできるマンロックを提供する。【解決手段】ニューマチックケーソン工法に用いられる高気圧室内作業方法に関する。高気圧室内作業方法は、ケーソンの下方の作業室６で作業員７が所定の作業を実施する作業工程と、マテリアルロック４３を通じて可搬式マンロック２を昇降させる昇降工程と、可搬式マンロック２を滞在式マンロック３に接続させる接続工程とを備える。マンロック１は、居住空間、隔壁を利用した区分を可能とし、横拡幅、縦拡幅も可能となり、従来の工法にも対応する可搬式マンロック２や滞在式マンロック３を備える。【選択図】図１
2015004192.tif 000002
【特許請求の範囲】
【請求項１】
ニューマチックケーソン工法に用いられる高気圧室内作業方法であって、
ケーソンの下方の作業室で作業員が所定の作業を実施する作業工程と、
マテリアルロックを通じて可搬式マンロックを昇降させる昇降工程と、
前記可搬式マンロックを滞在式マンロックに接続させる接続工程とを備えること
を特徴とする高気圧室内作業方法。
【請求項２】
前記作業工程では、前記可搬式マンロックに設けられた混合ガス供給装置から、専用のホース、圧力調整器及びマスクを通じて、作業員が混合ガスの供給を受けて所定の作業を実施すること
を特徴とする請求項１に記載の高気圧室内作業方法。
【請求項３】
前記昇降工程では、作業員が所定の作業を実施する作業室から、専用の昇降装置が設けられた前記マテリアルロックを通じて、前記可搬式マンロックを上昇させること
を特徴とする請求項１又は２に記載の高気圧室内作業方法。
【請求項４】
前記接続工程では、前記可搬式マンロック及び前記滞在式マンロックの内部の気圧を所定の気圧まで加圧した状態で、前記可搬式マンロックを前記滞在式マンロックに接続させること
を特徴とする請求項１〜３の何れか１項に記載の高気圧室内作業方法。
【請求項５】
前記接続工程では、前記可搬式マンロックを前記滞在式マンロックに接続させた後に、前記可搬式マンロックの内部から、生活設備が設けられた前記滞在式マンロックの内部に、作業員が入室して滞在すること
を特徴とする請求項１〜４の何れか１項に記載の高気圧室内作業方法。
【請求項６】
前記接続工程では、前記滞在式マンロックの内部に、作業員が入室して滞在した後に、前記滞在式マンロックの内部から、前記可搬式マンロックの内部に、作業員が入室すること
を特徴とする請求項１〜５の何れか１項に記載の高気圧室内作業方法。
【請求項７】
前記昇降工程では、作業員が所定の作業を実施する作業室まで、専用の昇降装置が設けられた前記マテリアルロックを通じて、前記可搬式マンロックを下降させること
を特徴とする請求項１〜６の何れか１項に記載の高気圧室内作業方法。
【請求項８】
ニューマチックケーソン工法に用いられるマンロックであって、
マテリアルロックを通じて昇降される可搬式マンロックと、前記可搬式マンロックが接続される滞在式マンロックとを備え、
前記滞在式マンロックは、横方向及び縦方向の何れか一方又は両方に連設することのできる分割式のものが用いられること
を特徴とするマンロック。
【請求項９】
ニューマチックケーソン工法に用いられるマンロックであって、
ケーソンの底部に設けられた開口部に接続される可搬式マンロックを備えること
を特徴とするマンロック。
【請求項１０】
ニューマチックケーソン工法に用いられるマンロックであって、
ケーソンの底部に設けられた開口部に接続される滞在式マンロックを備えること
を特徴とするマンロック。
【発明の詳細な説明】
【技術分野】
【０００１】
本発明は、ニューマチックケーソン工法に用いられる高気圧室内作業方法及びマンロックに関するものである。
【背景技術】
【０００２】
従来より、貯水池、地下道等が構築される比較的浅い範囲において、ケーソン躯体を所定の深さまで掘削沈下させることを目的として、特許文献１に開示されるようなニューマチックケーソン工法が提案されている。
【０００３】
特許文献１に開示されたニューマチックケーソン工法は、マテリアルシャフト用開口部及びマンシャフト用開口部が形成されたケーソン躯体を構築し、マテリアルロックを備えるマテリアルシャフトがマテリアルシャフト用開口部に取り付けられ、マンロックを備えるマンシャフトがマンシャフト用開口部に取り付けられるものである。
【先行技術文献】
【特許文献】
【０００４】
【特許文献１】特開２００６−２８３２７５号公報
【発明の概要】
【発明が解決しようとする課題】
【０００５】
しかし、特許文献１に開示されたニューマチックケーソン工法は、マンシャフトが取り付けられるマンシャフト用開口部がケーソン躯体に形成されるため、ケーソン躯体の構造上の弱体化を招くだけでなく、マンシャフトの構築に要するコストも増大するという問題点があった。
【０００６】
また、特許文献１に開示されたニューマチックケーソン工法は、マンロックから作業室まで作業員がマンシャフトを徒歩で昇降するものであり、マンシャフトの徒歩による昇降によって、作業員の肉体的、精神的負担が増大するという問題点があった。
【０００７】
さらに、特許文献１に開示されたニューマチックケーソン工法は、当日の作業員による所定の作業の後に、長時間にわたる減圧時間をかけて作業員がマンロックに滞在してから、当日のうちに作業員が日常生活に復帰することが必要となるため、所定の労働規則の範囲内で作業員が確保することのできる実作業時間が非常に短くなり、ニューマチックケーソン工法における作業の効率性が著しく低下せざるを得ないという問題点があった。
【０００８】
そこで、本発明は、上述した問題点に鑑みて案出されたものであり、その目的とするところは、１回の減圧スケジュールから得ることのできる作業員の作業時間を多く確保して、作業の効率性を著しく向上させたニューマチックケーソン工法に用いられる高気圧室内作業方法及びマンロックを提供することにある。
【課題を解決するための手段】
【０００９】
第１発明に係る高気圧室内作業方法は、ニューマチックケーソン工法に用いられる高気圧室内作業方法であって、ケーソンの下方の作業室で作業員が所定の作業を実施する作業工程と、マテリアルロックを通じて可搬式マンロックを昇降させる昇降工程と、前記可搬式マンロックを滞在式マンロックに接続させる接続工程とを備えることを特徴とする。
【００１０】
第２発明に係る高気圧室内作業方法は、第１発明において、前記作業工程では、前記可搬式マンロックに設けられた混合ガス供給装置から、専用のホース、圧力調整器及びマスクを通じて、作業員が混合ガスの供給を受けて所定の作業を実施することを特徴とする。
【００１１】
第３発明に係る高気圧室内作業方法は、第１発明又は第２発明において、前記昇降工程では、作業員が所定の作業を実施する作業室から、専用の昇降装置が設けられた前記マテリアルロックを通じて、前記可搬式マンロックを上昇させることを特徴とする。
【００１２】
第４発明に係る高気圧室内作業方法は、第１発明〜第３発明の何れかにおいて、前記接続工程では、前記可搬式マンロック及び前記滞在式マンロックの内部の気圧を所定の気圧まで加圧した状態で、前記可搬式マンロックを前記滞在式マンロックに接続させることを特徴とする。
【００１３】
第５発明に係る高気圧室内作業方法は、第１発明〜第４発明の何れかにおいて、前記接続工程では、前記可搬式マンロックを前記滞在式マンロックに接続させた後に、前記可搬式マンロックの内部から、生活設備が設けられた前記滞在式マンロックの内部に、作業員が入室して滞在することを特徴とする。
【００１４】
第６発明に係る高気圧室内作業方法は、第１発明〜第５発明の何れかにおいて、前記接続工程では、前記滞在式マンロックの内部に、作業員が入室して滞在した後に、前記滞在式マンロックの内部から、前記可搬式マンロックの内部に、作業員が入室することを特徴とする。
【００１５】
第７発明に係る高気圧室内作業方法は、第１発明〜第６発明の何れかにおいて、前記昇降工程では、作業員が所定の作業を実施する作業室まで、専用の昇降装置が設けられた前記マテリアルロックを通じて、前記可搬式マンロックを下降させることを特徴とする。
【００１６】
第８発明に係るマンロックは、ニューマチックケーソン工法に用いられるマンロックであって、マテリアルロックを通じて昇降される可搬式マンロックと、前記可搬式マンロックが接続される滞在式マンロックとを備え、前記滞在式マンロックは、横方向及び縦方向の何れか一方又は両方に連設することのできる分割式のものが用いられることを特徴とする。
【００１７】
第９発明に係るマンロックは、ニューマチックケーソン工法に用いられるマンロックであって、ケーソンの底部に設けられた開口部に接続される可搬式マンロックを備えることを特徴とする。
【００１８】
第１０発明に係るマンロックは、ニューマチックケーソン工法に用いられるマンロックであって、ケーソンの底部に設けられた開口部に接続される滞在式マンロックを備えることを特徴とする。
【発明の効果】
【００１９】
第１発明〜第７発明によれば、可搬式マンロック及び滞在式マンロックの内部で作業員が体内に取り込まれた溶存ガスの飽和状態を保持したままで、数日から数週間にわたって、高気圧下の作業室における連日の作業をすることが可能となる。
【００２０】
第１発明〜第７発明によれば、作業員の作業室における作業と、作業員の滞在式マンロックの内部における休息、休憩等とを繰り返すことで、１回の減圧スケジュールから得ることのできる作業員の作業時間を多く確保することができるため、ニューマチックケーソン工法における作業の効率性を著しく向上させることが可能となる。
【００２１】
第１発明〜第７発明によれば、滞在式マンロックの内部において、作業員が休息、休憩等をとりながら、長時間にわたる減圧を実施することができるため、作業員に与える肉体的、精神的負担を軽減しながら、地上の通常の大気圧下に作業員を安全に復帰させることが可能となる。
【００２２】
第１発明〜第７発明によれば、可搬式マンロックをケーソンの底部から上部等まで引き上げることができ、ケーソンの上部等に設置された滞在式マンロックの内部で作業員が安全に休息、休憩等をとることが可能となる。
【００２３】
特に、第５発明によれば、作業員が滞在式マンロックの内部に滞在する間に、トイレ、シャワー、冷暖房、ＴＶ等の生活設備によって、滞在式マンロックの内部で休憩、休息をとることが可能となるだけでなく、滞在式マンロックをホスピタルロックとしても利用して、滞在式マンロックの内部で減圧症等の治療をすることも可能となる。
【００２４】
特に、第５発明によれば、作業員がサービスロックを通じて外部から供給される食糧によって、滞在式マンロックの内部で食事をとったり、サービスロックを通じて外部から供給される医療用品によって、作業室での作業等で生じた外傷等の応急措置をとることが可能となる。
【００２５】
特に、第３発明、第７発明によれば、作業員が徒歩でマンシャフトを昇降することを必要とせず、作業員の肉体的、精神的負担を軽減させることが可能となる。
【００２６】
特に、第３発明、第７発明によれば、マンシャフトの構築によるケーソンの底部における構造上の弱体化を防止することが可能となるとともに、マンシャフトの構築に要するコストを削減することが可能となる。
【００２７】
特に、第８発明によれば、滞在式マンロックの内部の容積を容易に拡張して、自由度の高い空間設計をすることができ、作業員が混合ガスや空気の供給を受けながら、快適に休息、休憩等をとるための十分な空間を確保することが可能となる。また、第８発明によれば、本体部材及び両端部材のみを用いて、最小構造の滞在式マンロックを提供することも可能となる。
【００２８】
第９発明、第１０発明によれば、従来のニューマチックケーソン工法に、可搬式マンロックや滞在式マンロックを用いることができ、作業員の昇降とマテリアルロックを通じた資機材の搬出入を同時に実施することが可能となる。
【図面の簡単な説明】
【００２９】
【図１】本発明を適用した高気圧室内作業方法の作業工程を示す全体図である。
【図２】本発明を適用した高気圧室内作業方法のマンロックを示す一部破断斜視図である。
【図３】（ａ）は、本発明を適用した高気圧室内作業方法の可搬式マンロックを示す一部破断正面図であり、（ｂ）は、そのＡ−Ａ断面図である。
【図４】本発明を適用した高気圧室内作業方法の作業室における昇降工程を示す一部破断斜視図である。
【図５】本発明を適用した高気圧室内作業方法のケーソンの上部における昇降工程を示す一部破断斜視図である。
【図６】本発明を適用した高気圧室内作業方法の滞在式マンロックを示す一部破断斜視図である。
【図７】本発明を適用した高気圧室内作業方法の滞在式マンロックを示す一部破断正面図である。
【図８】本発明を適用した高気圧室内作業方法の昇降工程を示す全体図である。
【図９】本発明を適用した高気圧室内作業方法の接続工程を示す全体図である。
【図１０】本発明を適用した高気圧室内作業方法の作業室における作業工程を示す斜視図である。
【図１１】本発明を適用した高気圧室内作業方法の滞在式マンロックの内部に入室した作業員を示す斜視図である。
【図１２】本発明を適用したマンロックの分割式の滞在式マンロックを示す一部破断正面図である。
【図１３】本発明を適用したマンロックの可搬式マンロックの他の実施形態が用いられるニューマチックケーソン工法を示す全体図である。
【図１４】本発明を適用したマンロックの滞在式マンロックの他の実施形態が用いられるニューマチックケーソン工法を示す全体図である。
【発明を実施するための形態】
【００３０】
以下、本発明を適用した高気圧室内作業方法を実施するための形態について、図面を参照しながら詳細に説明する。
【００３１】
本発明を適用した高気圧室内作業方法は、図１に示すように、鉄筋コンクリート製等の躯体となるケーソン５を地中に沈下させて、橋梁や建造物等の基礎又はシールドトンネルの立坑等の本体構造物を構築するためのニューマチックケーソン工法に用いられるものである。
【００３２】
ニューマチックケーソン工法は、ケーソン５の底部５１と掘削される地山との間に作業室６を設けて、作業室６に設けられたケーソンショベル等で地山を掘削するものであり、ケーソン５の沈下と地山の掘削とを繰り返して、基礎又は本体構造物を地中に構築するものとなる。
【００３３】
ケーソン５は、地中に構築される基礎又は本体構造物の規模が大きくなった場合に、約７０ｍ以上の深度まで沈下されるものとなる。また、ケーソン５は、地上から作業室６まで資材を運搬するために、上部５２から底部５１まで連続してマテリアルシャフト４が設けられる。なお、ケーソン５は、マテリアルシャフト４の上端部に消音装置５９を設置することもできる。
【００３４】
作業室６は、地下水圧に見合った圧縮空気が送り込まれることによって、地山から地下水が浸入することを防止して、地上と同様のドライな状態に維持されるものであり、ケーソン５の下方において、このドライな状態の空間で作業員７が掘削等に必要な作業をするものとなる。
【００３５】
作業員７は、最大で約７０ｍ以上の深度において、高気圧下の作業室６における作業が要求されることから、本発明を適用した高気圧室内作業方法は、本発明を適用したマンロック１を用いることによって、作業員７の高気圧下における安全な作業を実現するものである。
【００３６】
本発明を適用したマンロック１は、図２に示すように、１人又は複数の作業員７が入室することのできる広さを有する可搬式マンロック２と、１人又は複数の作業員７が入室して簡易な生活をすることのできる広さを有する滞在式マンロック３とを備える。
【００３７】
可搬式マンロック２は、鋼製等のものが用いられ、図３に示すように、断面略円形状に形成されて、上面が閉塞されるとともに、作業員７が出入りするための第１扉２１が下面に設けられ、スライド式の第２扉２９が側面に設けられる。また、可搬式マンロック２は、混合ガス高圧ボンベ等の混合ガス供給装置２４、混合ガスの圧力を調整する圧力調整器２５、混合ガスを分配するマニホールドブロック２２及び混合ガスを作業員７に供給する専用のホース２３が内部に設けられる。さらに、可搬式マンロック２は、必要に応じて、内部の圧力を調整するための送排気バルブ２６や、内部の圧力を確認するための圧力計２７等が設けられる。
【００３８】
可搬式マンロック２は、図４に示すように、マテリアルロック４３を通じてマテリアルシャフト４からワイヤー等の専用の昇降装置４１によって昇降される。可搬式マンロック２は、作業員７が作業室６で作業するときに、専用の昇降装置４１によって作業室６まで下降される。
【００３９】
可搬式マンロック２は、図５に示すように、専用の昇降装置４１が設けられたマテリアルロック４３を通じて、ケーソン５の上部５２まで引き上げられた状態で、専用の昇降装置４１から、レールと台車とを有する可動設備４２に、横方向へ移動させるために切り替えられる。
【００４０】
滞在式マンロック３は、鋼製等のものが用いられ、図６に示すように、断面略円形状に形成されて、ケーソン５の上部５２の側壁に設けられた台座５８に設置される。滞在式マンロック３は、例えば、本体部材３１と、左右両端に設けられる両端部材３２と、本体部材３１と両端部材３２との間に設けられる連結部材３３とが連結された分割式のものが用いられる。なお、滞在式マンロック３は、これに限らず、一体式のものが用いられてもよい。
【００４１】
滞在式マンロック３は、作業員７が入室して滞在するための生活設備３５が内部に設けられる。生活設備３５は、トイレ、シャワー、冷暖房、ＴＶ等が常設されるだけでなく、必要に応じて、外部から食糧、医療用品等の物資を供給するために、滞在式マンロック３の内部から外部まで連通する小型の二重扉構造を形成して、サービスロック３５ａを設けることもできる。
【００４２】
滞在式マンロック３は、図７に示すように、作業員７が出入りするための第３扉３４が本体部材３１の上面の接続部３７に設けられるとともに、本体部材３１の下面に第４扉３９が設けられる。また、滞在式マンロック３は、接続部３７や内部を所定の気圧に保持して、混合ガスや空気を供給するためのガス供給口３８が設けられる。さらに、滞在式マンロック３は、所定の気圧を保持するための隔壁となる内部ドア３６が内部に設けられるとともに、第３扉３４や内部ドア３６等に送排気バルブ２６が設けられる。
【００４３】
本発明を適用した高気圧室内作業方法は、図１、図８、図９に示すように、ニューマチックケーソン工法に用いられるものであり、図１に示すように、作業室６で作業員７が所定の作業を実施する作業工程と、図８に示すように、マテリアルロック４３を通じて可搬式マンロック２を昇降させる昇降工程と、図９に示すように、可搬式マンロック２を滞在式マンロック３に接続させる接続工程とを備える。
【００４４】
本発明を適用した高気圧室内作業方法は、最初に、図４に示すように、可搬式マンロック２の内部に作業員７を入室させて、作業室６への連絡通路となるマテリアルロック４３を通じて、可搬式マンロック２を作業室６に下降させるとともに、作業員７の体内に取り込まれる溶存ガスを所定の時間をかけて飽和状態とする。
【００４５】
次に、本発明を適用した高気圧室内作業方法は、作業工程において、図１０に示すように、可搬式マンロック２の内部から第２扉２９を通じて作業員７を退室させて、混合ガス供給装置２４から、専用のホース２３、圧力調整器２５及びマスク２８を通じて、作業員７が混合ガスの供給を受けながら、作業室６で作業員７が必要な作業を実施する。
【００４６】
次に、本発明を適用した高気圧室内作業方法は、作業室６における所定の作業を作業員７に完了させた後に、可搬式マンロック２の内部の気圧と作業室６の気圧とを同等の高気圧状態に保持したまま、作業室６から第２扉２９を通じて可搬式マンロック２の内部に作業員７を入室させて、可搬式マンロック２の第２扉２９を閉止させる。
【００４７】
本発明を適用した高気圧室内作業方法は、昇降工程において、可搬式マンロック２の内部で、作業員７の体内に取り込まれた溶存ガスの飽和状態を保持したままで、図５に示すように、マテリアルロック４３を通じて可搬式マンロック２をケーソン５の上部５２に上昇させて、可搬式マンロック２を専用の昇降装置４１から可動設備４２に切り替えて横方向に移動させる。
【００４８】
次に、本発明を適用した高気圧室内作業方法は、接続工程において、図２に示すように、滞在式マンロック３の内部の気圧を所定の気圧まで加圧して、可搬式マンロック２の内部の気圧と滞在式マンロック３の内部の気圧とを同等の高気圧状態として、第１扉２１と第３扉３４とを対向させて、可搬式マンロック２を滞在式マンロック３に接続させる。
【００４９】
このとき、本発明を適用した高気圧室内作業方法は、接続工程において、可搬式マンロック２と滞在式マンロック３とが接続される接続部３７で、ワンタッチ式に接合されるものとなり、第１扉２１と第３扉３４との間で、図７に示すように、ガス供給口３８から混合ガスや空気が供給されることによって、所定の気圧を保持して密閉された二重扉構造が形成される。
【００５０】
また、本発明を適用した高気圧室内作業方法は、接続工程において、図１１に示すように、可搬式マンロック２及び滞在式マンロック３の内部の気圧を所定の気圧まで加圧した状態で、第１扉２１と第３扉３４とを通じて、可搬式マンロック２の内部から滞在式マンロック３の内部に作業員７が入室して滞在するものとなる。
【００５１】
作業員７は、滞在式マンロック３の内部に滞在する間に、トイレ、シャワー、冷暖房、ＴＶ等の生活設備３５によって、滞在式マンロック３の内部で休憩、休息をとることが可能となるだけでなく、滞在式マンロック３をホスピタルロックとしても利用して、滞在式マンロック３の内部で減圧症等の治療をすることも可能となる。
【００５２】
また、作業員７は、サービスロック３５ａを通じて外部から供給される食糧によって、滞在式マンロック３の内部で食事をとったり、サービスロック３５ａを通じて外部から供給される医療用品によって、作業室６での作業等で生じた外傷等の応急措置をとることが可能となる。
【００５３】
さらに、本発明を適用した高気圧室内作業方法は、接続工程において、可搬式マンロック２及び滞在式マンロック３の内部の気圧を所定の気圧まで加圧した状態で、滞在式マンロック３の内部に作業員７が入室して滞在した後に、第１扉２１と第３扉３４とを通じて、滞在式マンロック３の内部から可搬式マンロック２の内部に作業員７が入室するものとなる。
【００５４】
本発明を適用した高気圧室内作業方法は、滞在式マンロック３の内部で作業員７が必要な休憩、休息等をとった後で、第１扉２１と第３扉３４とを通じて、作業員７を可搬式マンロック２の内部に再び入室させて、可搬式マンロック２を可動設備４２で横方向に移動させて専用の昇降装置４１に切り替えて、マテリアルロック４３を通じて可搬式マンロック２を専用の昇降装置４１で作業室６に下降させるものとなる。
【００５５】
これにより、本発明を適用した高気圧室内作業方法は、可搬式マンロック２及び滞在式マンロック３の内部で作業員７が体内に取り込まれた溶存ガスの飽和状態を保持したままで、数日から数週間にわたって、高気圧下の作業室６における連日の作業をすることが可能となる。
【００５６】
作業員７は、体内に取り込まれた溶存ガスが飽和状態に達することで、高気圧下の作業室６における作業を実施することができるものとなるが、この作業員７が地上の通常の大気圧下に復帰するためには、減圧症等の高気圧障害の発生を防止するために、体内に取り込まれた溶存ガスを長時間かけて徐々に体外に排出することが必要となる。
【００５７】
このため、作業員７は、体内に取り込まれた溶存ガスを長時間かけて体外に排出するために、一定の減圧スケジュールを定める必要がある。ここで、この減圧スケジュールは、高気圧下における気圧の大きさによって減圧時間が定まるものであり、高気圧下における合計作業時間に関係なく定まるものである。
【００５８】
したがって、この減圧スケジュールは、例えば、約７０ｍの深度で約６時間もの減圧時間を必要とする非常に長時間にわたるものであり、１回の減圧スケジュールで如何に長時間の作業時間を確保することができるかで、ニューマチックケーソン工法における作業の効率性が変動するものとなる。
【００５９】
本発明を適用した高気圧室内作業方法は、可搬式マンロック２及び滞在式マンロック３の内部に混合ガスを充填させて、作業室６、可搬式マンロック２及び滞在式マンロック３の内部を同等の高気圧状態とすることで、作業室６、可搬式マンロック２及び滞在式マンロック３の内部に作業員７がいる限りにおいて、作業員７に対する減圧が必要とならないものとなる。
【００６０】
これにより、本発明を適用した高気圧室内作業方法は、作業員７の作業室６における作業と、作業員７の滞在式マンロック３の内部における休息、休憩等とを繰り返すことで、１回の減圧スケジュールから得ることのできる作業員７の作業時間を多く確保することができるため、ニューマチックケーソン工法における作業の効率性を著しく向上させることが可能となる。
【００６１】
また、本発明を適用した高気圧室内作業方法は、滞在式マンロック３の内部において、作業員７が休息、休憩等をとりながら、長時間にわたる減圧を実施することができるため、作業員７に与える肉体的、精神的負担を軽減しながら、地上の通常の大気圧下に作業員７を安全に復帰させることが可能となる。
【００６２】
また、本発明を適用した高気圧室内作業方法は、可搬式マンロック２をケーソン５の底部５１から上部５２まで引き上げることができ、ケーソン５の上部５２に設置された滞在式マンロック３の内部で作業員７が安全に休息、休憩等をとることが可能となる。なお、本発明を適用した高気圧室内作業方法は、ケーソン５の下部５３、中間部５４に滞在式マンロック３を設置して、この滞在式マンロック３に可搬式マンロック２を接続することもできる。
【００６３】
さらに、本発明を適用した高気圧室内作業方法は、従来のニューマチックケーソン工法において必要とされていたマンシャフトの構築を必要としないで、マテリアルシャフト４のみを利用して、資材の運搬だけでなく、専用の昇降装置４１を用いた可搬式マンロック２の昇降を実現することができる。
【００６４】
このため、本発明を適用した高気圧室内作業方法は、作業員７が徒歩でマンシャフトを昇降することを必要とせず、作業員７の肉体的、精神的負担を軽減させることが可能となるだけでなく、マンシャフトの構築によるケーソン５の底部５１における構造上の弱体化を防止することが可能となるとともに、マンシャフトの構築に要するコストを削減することが可能となる。
【００６５】
本発明を適用したマンロック１は、図１２に示すように、本体部材３１と両端部材３２と連結部材３３とが連結された分割式の滞在式マンロック３が用いられることで、ケーソン５の上部５２の空間が許容する範囲において、横方向及び縦方向の何れか一方又は両方に、複数の連結部材３３を連設して増設することができる。
【００６６】
これにより、本発明を適用したマンロック１は、滞在式マンロック３の内部の容積を容易に拡張して、隔壁となる内部ドア３６が複数設けられて自由度の高い空間設計をすることができ、滞在式マンロック３の内部において、ガス供給口３８から混合ガスや空気の供給を受けながら、作業員７が快適に休息、休憩等をとるための十分な空間を確保することが可能となる。なお、本発明を適用したマンロック１は、本体部材３１及び両端部材３２のみを用いて、最小構造の滞在式マンロック３を提供することも可能となる。
【００６７】
本発明を適用したマンロック１は、他の実施形態において、図１３に示すように、ケーソン５の内部で可搬式マンロック２を吊りワイヤー８１で昇降させることもできる。このとき、可搬式マンロック２は、ケーソン５の底部５１に設けられた開口部５１ａに接続されて、開口部５１ａに設けられた隔壁となる扉８２を開閉し、作業室６に作業員７が出入りするものとなる。なお、可搬式マンロック２は、送気用ライン８３で内部に混合ガスや空気が送り込まれる。
【００６８】
本発明を適用したマンロック１は、他の実施形態において、図１４に示すように、滞在式マンロック３がケーソン５の底部５１に直接設置され、ケーソン５の底部５１に設けられた開口部５１ａに接続されて、作業室６に作業員７が出入りするものとなる。このとき、滞在式マンロック３は、エレベーターや螺旋階段等を備える昇降シャフト８４が設けられて、作業員７がケーソン５の上部５２から滞在式マンロック３の内部まで昇降するものとなる。
【００６９】
これにより、本発明を適用したマンロック１は、他の実施形態において、従来のニューマチックケーソン工法に、可搬式マンロック２や滞在式マンロック３を用いることができ、作業員７の昇降と、マテリアルロック４３を通じた資機材の搬出入とを同時に実施することが可能となる。
【００７０】
なお、本発明を適用したマンロック１は、ケーソン５の上部５２に屋根部５５が設けられる場合であっても、屋根部５５に形成された屋根孔から、滞在式マンロック３を分割して搬入することができる。これにより、本発明を適用したマンロック１は、ケーソン５の上部５２に屋根部５５が設けられる場合に、屋根孔の大きさが限定されているときであっても、滞在式マンロック３を分割して容易に搬入することが可能となる。
【００７１】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【００７２】
例えば、本発明を適用したマンロック１は、断面略円形状に形成された可搬式マンロック２の直径が１ｍ程度のものであるとともに、断面略円形状に形成された滞在式マンロック３の直径が２ｍ程度のものであることを想定しているが、これに限らず、如何なる寸法、形状のものが用いられてもよい。
【符号の説明】
【００７３】
１        ：マンロック
２        ：可搬式マンロック
２１      ：第１扉
２２      ：マニホールドブロック
２３      ：ホース
２４      ：混合ガス供給装置
２５      ：圧力調整器
２６      ：送排気バルブ
２７      ：圧力計
２８      ：マスク
２９      ：第２扉
３        ：滞在式マンロック
３１      ：本体部材
３２      ：両端部材
３３      ：連結部材
３４      ：第３扉
３５      ：生活設備
３５ａ    ：サービスロック
３６      ：内部ドア
３７      ：接続部
３８      ：ガス供給口
３９      ：第４扉
４        ：マテリアルシャフト
４１      ：昇降装置
４２      ：可動設備
４３      ：マテリアルロック
５        ：ケーソン
５１      ：底部
５１ａ    ：開口部
５２      ：上部
５３      ：下部
５４      ：中間部
５５      ：屋根部
５８      ：台座
５９      ：消音装置
６        ：作業室
７        ：作業員
８１      ：吊りワイヤー
８２      ：扉
８３      ：送気用ライン
８４      ：昇降シャフト
【図１】
2015004192.tif 000003
【図２】
2015004192.tif 000004
【図３】
2015004192.tif 000005
【図４】
2015004192.tif 000006
【図５】
2015004192.tif 000007
【図６】
2015004192.tif 000008
【図７】
2015004192.tif 000009
【図８】
2015004192.tif 000010
【図９】
2015004192.tif 000011
【図１０】
2015004192.tif 000012
【図１１】
2015004192.tif 000013
【図１２】
2015004192.tif 000014
【図１３】
2015004192.tif 000015
【図１４】
2015004192.tif 000016